(57)【要約】【課題】巻真パイプ取付け部の防水性を確保しつつ、ねじロック機能が低下した場合に竜頭回りの部品交換を可能とした携帯時計を提供することにある。【解決手段】胴１３のパイプ取付け孔１７に巻真パイプ２１を取外し可能にねじ込んで取付ける。パイプ取付け孔１７に螺合する巻真パイプ２１の第１雄ねじ部２２とは逆ねじとなるねじ部２４を、巻真パイプ２１の胴内側端部２３に設ける。ねじ部２４に締付けリング２９を取外し可能に螺合する。このリング２９と竜頭３１が螺合する巻真パイプ２１の胴外側端部２５とで胴１３を挟み込むとともに、胴１３と巻真パイプ２１との間に防水パッキン２８を挟んでいる。竜頭操作で巻真パイプ２１が緩む方向の回転力を受けた時に、締付けリング２９の締付けが強められて、巻真パイプ２１の緩み止めがなされ、巻真パイプ２１の接着止めを不要としたことを特徴としている。【選択図】    図２
2004271361.tif 000002
【特許請求の範囲】
【請求項１】
雌ねじ部を有するパイプ取付け孔が設けられた胴と、
前記雌ねじ部に取外し可能に螺合される第１雄ねじ部、この第１雄ねじ部とは逆ねじとなるねじ部が設けられた胴内側端部、第２雄ねじ部が設けられ前記胴の外面に当たる胴外側端部を有して、前記パイプ取付け孔を貫通して前記胴に取付けられた巻真パイプと、
前記胴内側端部のねじ部に取外し可能に螺合されて前記胴を前記胴外側端部との間に挟んだ締付けリングと、
前記胴と巻真パイプとの間に挟まれた防水パッキンと、
前記第２雄ねじ部に取外し可能に螺合する雌ねじ部が形成された竜頭主部を有する竜頭と、
を具備した携帯時計。
【請求項２】
前記胴内側端部のねじ部の外径が、前記第１雄ねじ部の外径より小さく形成されている、請求項１に記載の携帯時計。
【請求項３】
前記締付けリングが角ナットである、請求項１又は２に記載の携帯時計。
【請求項４】
前記胴外側端部が前記巻真パイプを回転させる工具と係合する係合部を有している、請求項１から３の内のいずれか１項に記載の携帯時計。
【請求項５】
前記係合部が、前記胴外側端部の端面に開放する角穴で形成されている、請求項４に記載の携帯時計。
【請求項６】
前記係合部が、前記胴外側端部の外周面に露出する多角形をなしている、請求項４に記載の携帯時計。
【発明の詳細な説明】
【０００１】
【発明の属する技術分野】
本発明は、竜頭が不用意に回転されないように保持する構造を備えた携帯時計に関する。
【０００２】
【従来の技術】
例えばダイバーズウォッチ等の携帯時計では、その携帯時に竜頭が不用意に回転されないように、ねじの噛合いを利用して竜頭をロックする構造（この構造を本明細書ではねじロックと称する。）が採用されている。
【０００３】
ねじロック構造は、時計ムーブメントが内蔵された胴に巻真パイプを取付け、このパイプの胴外側端部の外周に形成された雄ねじ部に、胴外側端部に被嵌する竜頭主部の雌ねじ部を螺合する構造である。これにより、通常時には、竜頭主部を胴外側端部の外周にねじ込んで竜頭をロックできる。又、時計ムーブメントを操作する時には、雄ねじ部に対する竜頭主部のねじ込みを外し、竜頭を引き動かしてから巻真パイプの内側に配置されている巻真を回転操作することができる。
【０００４】
このようなねじロック構造を備えた従来の携帯時計では、一般に、胴に対して巻真パイプをろう付けすることにより、巻真パイプ取付け部の防水を図っている（例えば特許文献１参照。）。
【０００５】
この他に、竜頭が螺合される雄ねじ部とは別の雄ねじ部を巻真パイプの軸方向中間部に設けて、この別の雄ねじ部を胴のパイプ取付け孔にねじ込むとともに、このねじ込みに伴い胴と巻真パイプとの間に防水パッキンを挟み込んで、巻真パイプ取付け部の防水を図った携帯時計も知られている。
【０００６】
【特許文献１】
特開昭５７−４６１８１号公報（第１頁右欄第８行〜第２頁左欄第７行、第１図、第２図）
【０００７】
【発明が解決しようとする課題】
ねじロック構造を備える携帯時計では、竜頭が繰返し回転操作されること等により、互いに螺合する竜頭の雌ねじ部と巻真パイプの雄ねじ部とが摩耗したり、削れたりして、ねじロックの機能が低下することがある。
【０００８】
このような事態に至った場合、胴に巻真パイプがろう付けされている特許文献１の携帯時計では、巻真パイプの胴からの取外しを伴う竜頭回りの部品交換ができない。それにより、胴を含めた時計外装組立の交換を余儀なくされており、その改善が求められている。
【０００９】
胴に巻真パイプをねじ込んだ時計では、原理的には巻真パイプを含めた竜頭周りの部品交換が可能であると考えられている。しかし、この構成でも、竜頭を巻真パイプに螺合させたり、この螺合を外したりするたびに、巻真パイプには回転力が作用する。それに伴って胴に対する巻真パイプのねじ込みが緩んで、防水パッキンによる防水性が低下するおそれがある。
【００１０】
この対策として、巻真パイプと胴との螺合部に接着剤を充填することが行われることがある。このように接着止めされる場合には、巻真パイプを胴から取外すことが困難となり、実際上は竜頭周りの部品交換ができなくなる。それにより、ねじロック機能が低下した場合に、胴を含めた時計外装組立の交換を余儀なくされており、その改善が求められている。
【００１１】
本発明が解決しようとする課題は、巻真パイプ取付け部の防水性を確保しつつ、ねじロック機能が低下した場合に竜頭周りの部品交換を可能とした携帯時計を提供することにある。
【００１２】
【課題を解決するための手段】
前記課題を解決するために、本発明は、胴のパイプ取付け孔に取外し可能にねじ込まれる巻真パイプの第１雄ねじ部とは逆ねじとなるねじ部を、巻真パイプの胴内側端部に設け、この胴内側端部のねじ部に締付けリングを取外し可能に螺合し、このリングと竜頭が螺合する巻真パイプの胴外側端部とで胴を挟み込むとともに、胴と巻真パイプとの間に防水パッキンを挟んだことを特徴としている。
【００１３】
本発明では、ねじロック機能を発揮させたり解除したりする竜頭操作に伴って、巻真パイプが緩む方向の回転力を受けた時には、締付けリングの締付けが強められる。このため、巻真パイプを接着止めすることなく巻真パイプの緩みを防止できるとともに、このパイプと胴との間に挟まれた防水パッキンによる防水性能を維持できる。そして、締付けリングは胴内側において巻真パイプの胴内側端部から取外し可能であるとともに、巻真パイプはねじ込み式であるので胴から取外し可能である。このため、ねじロック機能の低下に対して、巻真パイプ及び竜頭を単独に交換可能である。
【００１４】
本発明の好ましい形態では、前記胴内側端部のねじ部の外径が、前記第１雄ねじ部の外径より小さく形成されている。この形態は、胴内側端部のねじ部が雄ねじ部である場合に、このねじ部と胴のパイプ取付け孔内面の雌ねじ部との引っ掛かりを抑制しつつ、パイプ取付け孔に巻真パイプを容易に挿脱することが可能となる点で優れている。
【００１５】
本発明の好ましい形態では、前記締付けリングが角ナットである。この形態は、巻真パイプの胴内側端部に締付けリングを着脱する場合に、巻真パイプの軸線と直交する方向から工具を操作することが可能となるので、狭い胴内側での締付けリングの着脱操作に好適である。
【００１６】
本発明の好ましい形態では、前記胴外側端部が前記巻真パイプを回転させる工具と係合する係合部を有している。この係合部は、前記胴外側端部の端面に開放する角穴、又は前記胴外側端部の外周面に露出する多角形をなして形成できる。この形態は、直接手で回転操作することが困難な巻真パイプを、工具を用いて回転させる上で好ましく、更に、締付けリングを着脱する際に、工具を用いて巻真パイプが回転しないように保持する上でも好ましい。
【００１７】
【発明の実施の形態】
以下、図１〜図５を参照して本発明の第１実施形態を説明する。
【００１８】
図１中符号１１は竜頭のねじロック機能を備える携帯時計としてのダイバーズウォッチを示しており、このウォッチ１１は時計外装組立１２内に図示しない時計ムーブメント等を収容している。時計ムーブメントは、小型電池やぜんまいを動力にしたもの、又は自動巻きのもの、若しくはクォーツ発振モジュールにより文字板上で時刻等をデジタル表示するデジタル時計対応のもの、或いはデジタル時計対応のものとそれ以外のものとを併用したもの等のいずれであってもよい。
【００１９】
時計外装組立１２は、環状をなす金属製の胴１３の厚み方向一面に、カバーガラス１４を液密に装着するとともに、胴１３の厚み方向裏面に、金属等からなる裏蓋１５（図２参照）を液密に装着して形成されている。カバーガラス１４を通して文字板１６などを透視可能であり、裏蓋１５は取外し可能である。
【００２０】
図２、図４、図５に示すように胴１３の一部には、この胴１３を径方向に貫通するパイプ取付け孔１７が開けられている。パイプ取付け孔１７の内周は例えば右ねじ（正ねじともいう）からなる雌ねじ部１７ａで形成されている。なお、この雌ねじ部１７ａは左ねじ（逆ねじともいう）であってもよい。パイプ取付け孔１７の一端は、胴内側、つまり時計外装組立１２の内部に開口され、パイプ取付け孔１７の他端は、胴外側、つまり時計外装組立１２の外部に開口されている。胴１３の外側面１３ａにはパッキン収容溝１８が形成されている。この収容溝１８は、パイプ取付け孔１７より大径で、この孔１７の胴外側開口に連通し、かつ、この開口と同心的に設けられている。
【００２１】
胴１３にはパイプ取付け孔１７を貫通して金属製の巻真パイプ２１が胴外側から着脱可能に取付けられている。
【００２２】
詳しくは、図２、図４、図５に示すように巻真パイプ２１は、パイプ取付け孔１７に挿入される軸方向中間部の外周に第１雄ねじ部２２を有している。第１雄ねじ部２２は、雌ねじ部１７ａと対応する右ねじであって、この雌ねじ部１７ａに取外し可能に螺合される。
【００２３】
巻真パイプ２１は、その軸方向一端部にパイプ取付け孔１７を通って胴内側に突出して配置される胴内側端部２３を有している。この端部２３の外周面にはねじ部２４が形成されている。ねじ部２４は右ねじからなる第１雄ねじ部２２とは逆ねじ、つまり、第１実施形態では左ねじとなる雄ねじ部で作られている。ねじ部２４の外径は第１雄ねじ部２２の外径及び雌ねじ部１７ａの内径より小さく形成されている。このような寸法関係を設定したことにより、雄ねじ部からなるねじ部２４とパイプ取付け孔１７内面の雌ねじ部１７ａとの引っ掛かりを抑制しつつ、パイプ取付け孔１７に巻真パイプ２１を容易に挿脱することが可能である。
【００２４】
巻真パイプ２１はその軸方向他端部に胴外側に配置される胴外側端部２５を有している。この端部２５は径方向外側に張り出す円形のフランジ状を成しており、その外径はパッキン収容溝１８より大きく形成されている。胴外側端部２５の外周面には第２雄ねじ部２６が設けられている。この第２雄ねじ部２６は、右ねじでも左ねじでも差し支えないが、第１雄ねじ部２２と同じく右ねじとすることが好ましい。
【００２５】
胴外側端部２５は胴外面１３ａへの当り面２５ａを有している。この当り面２５ａは巻真パイプ２１の軸方向に直交する方向に沿う平面で作られている。更に、胴外側端部２５は係合部２７を有している。図３に示すように係合部２７は、胴外側端部２５の端面に開放する例えば正６角形の角穴からなる。この係合部２７には、巻真パイプ２１を回転させる工具（図示しない）、例えば断面六角形の棒をＬ形に曲げてなる六角レンチの端部が出し入れ可能に差し込まれるようになっている。
【００２６】
前記構成の巻真パイプ２１は、その外周に当り面２５ａに接するようにゴム製リング等の防水パッキン２８を嵌合した状態で、胴内側端部２３を先頭に胴１３の外側からパイプ取付け孔１７にねじ込むことによって、胴１３に取付けられる。この取付けによって、巻真パイプ２１の胴内側端部２３は胴１３の内部に突出され、胴外側端部２５はその当り面２５ａを胴１３の外側面１３ａに接して軸方向に位置決めされる。
【００２７】
以上の巻真パイプ２１の取付けに伴い、防水パッキン２８が、パッキン収容溝１８内に収められつつ、この溝１８の奥面と当り面２５ａとの間に圧縮状態に弾性変形して挟まれる。これにより、防水パッキン２８は胴１３と巻真パイプ２１との間の防水を担うように設けられる。防水パッキン２８は胴１３と巻真パイプ２１との間であれば、どの位置で挟んでもよい。しかし、本実施形態のように胴１３と巻真パイプ２１との螺合部より胴外側で防水機能を発揮するように配置することは、水などに前記螺合部を触れさせないようにできる点で好ましい。
【００２８】
胴内側に配置された巻真パイプ２１の胴内側端部２３のねじ部２４には、金属製の締付けリング２９が取外し可能に螺合されている。締付けリング２９は胴１３の内側面１３ｂ（図２参照）に当るまで締付けられる。これにより、胴１３のパイプ取付け孔周りが、巻真パイプ２１の胴外側端部２５と締付けリング２９とで挟まれている。
【００２９】
締付けリング２９には角ナット例えば図３及び図５に示すように六角ナットを好適に使用できる。角ナット製の締付けリング２９の採用により、裏蓋１５を取外した状態で胴内側端部２３に締付けリング２９を着脱する際、巻真パイプ２１の軸線と直交する方向からスパナ等の工具を操作することが可能となる。このため、作業空間が狭い胴内側での締付けリング２９の着脱操作を容易に行わせることが可能である。
【００３０】
図１中符号３１で示す竜頭は、金属製であって、図２に示すように竜頭主部３２と、この中央部から軸方向に一体に延びる竜頭筒部３３とを有している。竜頭主部３２には、竜頭筒部３３の根元側部分を囲む環状の逃げ溝３４が設けられているとともに、この溝３４の内周面に雌ねじ部３５が形成されている。逃げ溝３４は、巻真パイプ２１の胴外側端部２５が挿入される部分である。雌ねじ部３５は、胴外側端部２５の第２雄ねじ部２６に取外し可能に螺合される。この螺合により、このウォッチ１１の携帯時に竜頭３１が不用意に回転されないように保持する、いわゆるねじロック機能が発揮される。
【００３１】
竜頭筒部３３は胴外側から巻真パイプ２１に挿入されている。この筒部３３の外周に形成された環状のパッキン取付け溝には、ゴム製の環状防水パッキン３６が取付けられている。防水パッキン３６は、巻真パイプ２１の内周面と竜頭筒部３３の外周面との間に圧縮状態に弾性変形して挟まれ、これらの間の防水を担っている。竜頭筒部３３内には、胴内側から時計ムーブメントの巻真３７が挿入されているとともに、この巻真３７をばね受け３８を介して軸方向に付勢するコイルばね３９が収容されている。時計ムーブメントは、第２雄ねじ部２６に対する雌ねじ部３５のかみ合いを外した状態、言い換えれば、ねじロックが解除された状態で、竜頭３１の回転操作に連動して回転される。これにより、時刻合わせ等が行われるようになっている。
【００３２】
以上の構成を備えるダイバーズウォッチ１１での胴１３への巻真パイプ２１の取付け手順を説明する。
【００３３】
まず、巻真パイプ２１を、そのねじ部２４を先頭に胴１３のパイプ取付け孔１７に胴外側から挿入し、係合部２７に係合させた図示しない工具を用いてねじ込む。このねじ込みは、防水パッキン２８を予めパッキン収容溝１８に嵌め込んで保持させるか、若しくは防水パッキン２８を予め当り面２５ａに接するように巻真パイプ２１の外周に嵌合させた状態で実施する。
【００３４】
これにより、巻真パイプ２１の第１雄ねじ部２２がパイプ取付け孔１７の雌ねじ部１７ａに螺合される。このねじ込みの最終段階で、胴１３の胴内側に巻真パイプ２１の胴内側端部２３が突出されるとともに、巻真パイプ２１の胴外側端部２５が防水パッキン２８を圧縮し、かつ、この胴外側端部２５の当り面２５ａが胴１３の外側面１３ａに密接される。
【００３５】
次に、胴１３の内部に突出している胴内側端部２３のねじ部２４に締付けリング２９を螺合し、このリング２９を図示しない他の工具を用いて締付けて、胴１３の内側面１３ｂに締付けリング２９を密接させる。この場合、先に使用した図示しない前記工具を係合部２７に係合させたままに保持することにより、巻真パイプ２１の回転を防止しつつ締付けリング２９の締付け操作を実現できる。
【００３６】
以上の手順により、パイプ取付け孔１７にねじ込まれた巻真パイプ２１の胴外側端部２５と、締付けリング２９とが胴１３のパイプ取付け孔１７周りを挟んで、胴１３に対する巻真パイプ２１の装着が完了する。この装着完了状態は図４に示されている。
【００３７】
この後、竜頭３１の取付けが行われる。この場合、まず、竜頭３１の竜頭筒部３３を、これに巻真３７が接続された状態で胴外側から巻真パイプ２１内に挿入するとともに、竜頭主部３２の雌ねじ部３５を、巻真パイプ２１の第２雄ねじ部２６に螺合し正回転（右回転）させて締付ける。竜頭３１が第２雄ねじ部２６に最も深くねじ込まれた状態で、竜頭主部３２は、図２に示されるように胴１３の外側面１３ａに当接して位置決めされ、胴外側端部２５を覆い隠す。なお、以上の手順の後に、巻真３７と時計ムーブメントとの接続がなされる。
【００３８】
この組立てにより、巻真パイプ２１周りでの防水機能が発揮されかつ維持される。すなわち、巻真パイプ２１と胴１３との間の防水は、これらの間に圧縮状態に弾性変形して挟まれた防水パッキン２８により確保できる。巻真パイプ２１とこの内側に挿入された竜頭筒部３３との間の防水は、これらの間に圧縮状態に弾性変形して挟まれた内側防水パッキン３６により確保できる。
【００３９】
図２に示すダイバーズウォッチ１１の組立状態では、竜頭３１が第２雄ねじ部２６にかみ合ってねじロックされているので、携帯中に不用意に竜頭３１が回されて、時刻表示などが変化することを防止できる。時刻合わせ等を行う場合には、竜頭３１を逆回転させて第２雄ねじ部２６に対する竜頭主部３２の噛み合いを外して、竜頭３１をコイルばね３９のばね力に抗して引出した状態で行うことができる。
【００４０】
胴外側端部２５の第２雄ねじ部２６に対する竜頭３１の着脱に伴って、巻真パイプ２１を回そうとする力が作用する。詳しくは、第１実施形態では、竜頭３１をねじロックしようとする場合には、パイプ取付け孔１７への巻真パイプ２１のねじ込みが強められる方向の力が作用する。この逆に、竜頭３１のねじロックを解除しようとする場合には、パイプ取付け孔１７に対して巻真パイプ２１のねじ込みが緩む方向の力が作用する。
【００４１】
前者の場合には、巻真パイプ２１が緩むことがなく、したがって、防水パッキン２８による防水性能は低下することもない。これに対して、後者の場合には、巻真パイプ２１が緩もうとするが、実際には以下の理由により緩むおそれがない。
【００４２】
すなわち、巻真パイプ２１はその胴内側端部２３に螺合した締付けリング２９と胴外側端部２５とで軸方向に動き止めされているだけではなく、締付けリング２９が螺合したねじ部２４と胴１３のパイプ取付け孔１７に螺合した巻真パイプ２１の第１雄ねじ部２２とは互いに逆ねじとなっている。このため、巻真パイプ２１が緩む方向の回転力を受けた時には、締付けリング２９の締付けが強められる。これにより、巻真パイプ２１を胴１３に接着剤を用いて固定することなく、この巻真パイプ２１の緩みを防止できる。これに伴い、巻真パイプ２１と胴１３との間に挟まれた防水パッキン２８による防水性能も維持できる。
【００４３】
前記第２雄ねじ部２６及びこれに螺合した雌ねじ部３５の損傷や摩耗等により竜頭３１のねじロック機能が低下した場合に、本実施形態のダイバーズウォッチ１１は以下のように対処できる。
【００４４】
すなわち、締付けリング２９は胴内側において巻真パイプ２１の胴内側端部２３から取外し可能であり、巻真パイプ２１はねじ込み式であるので胴１３から取外し可能である。このため、ねじロック機能の低下に対して、巻真パイプ２１及び竜頭３１を単独に交換可能である。更に、この交換の際に胴外面１３ａを磨く場合にも巻真パイプ２１に邪魔されずに実施できる。
【００４５】
巻真パイプ２１周りの分解は既述の組立て手順とは逆の手順で行うことができる。この場合、締付けリング２９に係合させた図示しない専用の工具で、締付けリング２９を回り止めした状態で、或いは前記専用工具で締付けリング２９を緩むみ方向に回しながら、係合部２７に係合させた六角レンチで巻真パイプ２１を緩み方向に回転させることにより、締付けリング２９を巻真パイプ２１から取外すことができる。この後に、更に巻真パイプ２１を緩み方向に回転させることにより、巻真パイプ２１を胴１３から取外すことができる。
【００４６】
以上の分解・組立てにより、修理の依頼者にとっては、ねじロック機能の低下に対して、胴１３等を含めた時計外装組立１２の交換を余儀なくされることなく、竜頭３１及びこれをねじロックする巻真パイプ２１の部品交換で対応することが可能となるので、費用負担を少なくできる。
【００４７】
図６及び図７は本発明の第２実施形態を示している。この実施形態は基本的には第１実施形態と同じであるので、第１実施形態と同一構成については同一符号を付してその説明を省略し、第１実施形態とは異なる構成についてのみ説明する。
【００４８】
第２実施形態では、巻真パイプ２１の胴外側端部２５に設けられる係合部２７が、胴外側端部２５の外周面に露出する多角形、例えば６角形をなして作られている。この係合部２７は、第２雄ねじ部２６より大きく、かつ、第２雄ねじ部２６よりも胴内側端部２３側に寄せて設けられ、その胴内側端部２３側の側面は当り面２５ａに面一に連続されている。この六角の係合部には巻真パイプ２１を胴１３に着脱する際、巻真パイプ２１の軸線と直交する方向からスパナ等の工具で操作することが可能となる。
【００４９】
この係合部２７を設けたことに応じて、第１実施形態で説明した係合部、つまり、胴外側端部２５の端面に開放する角穴は省略されているとともに、竜頭主部３２には六角の係合部２７との干渉を防ぐための逃げ部３２ａが形成されている。なお、以上説明した点以外の構成は第１実施形態と同じである。
【００５０】
したがって、この第２実施形態でも、巻真パイプ２１がパイプ取付け孔１７に螺合する第１雄ねじ部２２と逆ねじとなるねじ部２４を備え、このねじ部２４に螺合された締付けリング２９と巻真パイプ２１の胴外側端部２５とで、胴１３のパイプ取付け孔１７の周りを挟んだので、胴外側端部２５に竜頭３１を着脱する際の操作に伴い、巻真パイプ２１が緩むことを防止できる。しかも、第２実施形態の係合部２７は、胴外側端部２５の外周に形成されるので、角穴で係合部を作る場合に比較して、加工が容易である。
【００５１】
本発明は前記各実施形態には制約されない。例えば係合部２７は、胴外側端部２５の端面及び周面にわたって開放する−又は＋状の溝で形成して、ねじ回しの刃先が係合できるようにしてもよい。更に、以上説明したすべての係合部のうちの二種以上を胴外側端部２５に設けてもよい。又、本発明は、高圧防水性能を要求されない通常の腕時計や懐中時計などの携帯時計にも適用可能である。
【００５２】
【発明の効果】
本発明によれば、竜頭操作で巻真パイプが緩む方向の回転力を受けた時に、胴にねじ込まれた巻真パイプの第１雄ねじ部に対して逆ねじとなるねじ部に螺合された締付けリングの締付けが強められるので、胴に取外し可能にねじ込まれた巻真パイプの接着止めを要することなく、巻真パイプの緩み止めができる。これにより、胴と巻真パイプとの間の防水パッキンによる巻真パイプ取付け部の防水性を確保しつつ、ねじロック機能が低下した場合に、胴等を含めた時計外装組立の交換を要することなく、竜頭及びこれをねじロックする巻真パイプの部品交換を可能とした携帯時計を提供できる。
【００５３】
巻真パイプの胴内側端部のねじ部の外径が、第１雄ねじ部の外径より小さく形成された構成を備える発明によれば、胴内側端部のねじ部のパイプ取付け孔内面の雌ねじ部への引っ掛かりを抑制しつつ、パイプ取付け孔に巻真パイプを容易に挿脱可能な携帯時計を提供できる。
【００５４】
締付けリングが角ナットである発明によれば、狭い胴内側で巻真パイプの胴内側端部に締付けリングを着脱する際に、巻真パイプの軸線と直交する方向から工具を操作でき、締付けリングの着脱操作性が良好な携帯時計を提供できる。
【００５５】
巻真パイプを回転させる工具と係合する係合部が胴外側端部に設けられている発明によれば、直接手で回転操作することが困難な巻真パイプを工具を用いて回転させること、及び締付けリングを着脱する際に巻真パイプが回転しないように工具を用いて保持することを、それぞれ可能とした携帯時計を提供できる。
【図面の簡単な説明】
【図１】本発明の第１実施形態に係るダイバーズウォッチを示す正面図。
【図２】竜頭がねじロックされた状態で図１中Ｆ２−Ｆ２線に沿って示す断面図。
【図３】図１のダイバーズウォッチの竜頭を取除いた状態で巻真パイプ取付け部を示す正面図。
【図４】図１のダイバーズウォッチの巻真パイプ取付け部を切欠いて状態を示す斜視図。
【図５】図１のダイバーズウォッチの胴と巻真パイプと締付けリングとを分解して示す斜視図。
【図６】本発明の第２実施形態に係るダイバーズウォッチが備える巻真パイプ取付け部周りを示す断面図。
【図７】図６のダイバーズウォッチの竜頭を取除いた状態で巻真パイプ取付け部を示す正面図。
【符号の説明】
１１・・・ダイバーズウォッチ（携帯時計）
１２・・・時計外装組立
１３・・・胴
１７・・・パイプ取付け孔
１７ａ・・・パイプ取付け孔の雌ねじ部
２１・・・巻真パイプ
２２・・・巻真パイプの第１雄ねじ部
２３・・・巻真パイプの胴内側端部
２４・・・胴内側端部のねじ部
２５・・・巻真パイプの胴外側端部
２６・・・巻真パイプの第２雄ねじ部
２７・・・係合部
２８・・・防水パッキン
２９・・・締付けリング
３０ａ・・・操作部
３１・・・竜頭
３２・・・竜頭主部
３３・・・竜頭筒部
３５・・・竜頭の雌ねじ部
【図１】
2004271361.tif 000003
【図２】
2004271361.tif 000004
【図３】
2004271361.tif 000005
【図４】
2004271361.tif 000006
【図５】
2004271361.tif 000007
【図６】
2004271361.tif 000008
【図７】
2004271361.tif 000009